(57)【要約】【課題】  商品の陳列と照明を演出的に行うことができるとともに、充分な強度を有し、かつ製造コスト上も、従来品と比較して有利な商品陳列棚を提供する。【解決手段】  底板６と背板７とを交互に連設して階段状に形成した棚板３を、支柱１に取付けた、上縁１２が同じく階段状のブラケット２により支持し、底板６と背板７に設けた左右方向に並ぶ多数のスリット８，９から選択した所望のスリットに、仕切板７の下端縁１７ａおよび後端縁１７ｂに設けた係止片１８，１９を係止させて、棚板３を適宜の区画に仕切るようにした商品陳列棚とする。【選択図】        図２
2006288826.tif 000002
【特許請求の範囲】
【請求項１】
底板と背板とを交互に連設して階段状に形成した棚板を、支柱に取付けたブラケットにより支持したことを特徴とする商品陳列棚。
【請求項２】
ブラケットにおける、棚板を支持する上縁を、側面視において、棚板と同じ階段状に形成したことを特徴とする請求項１記載の商品陳列棚。
【請求項３】
棚板における底板と背板に、複数のスリットを左右方向に並べて穿設し、前記スリットに仕切板を着脱自在に装着したことを特徴とする請求項１または２記載の商品陳列棚。
【請求項４】
仕切板を、透光性材料で形成するとともに、背板の後面側に照明装置を取付けたことを特徴とする請求項３記載の商品陳列棚。
【請求項５】
色彩の異なる複数の仕切板を用いて、棚板を複数の区画に区分したことを特徴とする請求項３または４記載の商品陳列棚。
【発明の詳細な説明】
【技術分野】
【０００１】
本発明は、ショッピングセンターやデパート等で使用される商品陳列棚に関し、特に化粧品や小物の装飾品等を陳列するのに好適な商品陳列棚に関する。
【背景技術】
【０００２】
陳列する商品を演出的に照明したり、商品の陳列区画を仕切るようにした商品陳列棚については、下記の特許文献１，２がある。
【０００３】
しかし、これらの特許文献に記載される商品陳列棚は、いずれも構造が複雑であり、また部品点数も多いため、製造コストも高いものとなるという問題がある。
【特許文献１】特開２００１−２３８７７４
【特許文献２】特開２００１−２９２
【発明の開示】
【発明が解決しようとする課題】
【０００４】
本発明は、前記の現状に鑑み、商品の陳列と照明を演出的に行うことができるとともに、充分な強度を有し、かつ製造コスト上も、商品の照明を演出的に行うことができるようにした従来の商品陳列棚と比較して、有利である商品陳列棚を提供することを目的とする。
【課題を解決するための手段】
【０００５】
上記課題は、特許請求の範囲における各請求項に示すように、下記の構成を備える発明によって解決される。
(１)  底板と背板とを交互に連設して階段状に形成した棚板を、支柱に取付けたブラケットにより支持した商品陳列棚とする。
【０００６】
(２)  上記(１)項において、ブラケットにおける、棚板を支持する上縁を、側面視において、棚板と同じ階段状に形成する。
【０００７】
(３)  上記(１)項または(２)項において、棚板における底板と背板に、複数のスリットを左右方向に並べて穿設し、前記スリットに仕切板を着脱自在に装着
する。
【０００８】
(４)  上記(３)項において、仕切板を、透光性材料で形成するとともに、背板の後面側に照明装置を取付ける。
【０００９】
(５)  上記(３)項または(４)項において、色彩の異なる複数の仕切板を用いて、棚板を複数の区画に区分する。
【発明の効果】
【００１０】
本発明によると、次のような効果が奏せられる。
請求項１記載の発明によれば、棚板が、底板と背板とを交互に連設して階段状に形成されているため、商品の陳列を種々の変化に富んだ所望の形態に演出することができるとともに、商品の照明も、たとえば各段毎に異なる色彩の照明とするなど、照明を演出的に行うことができる。
さらに、階段状の棚板における各段の背板がリブの作用をなし、棚板の左右幅が大きい場合でも、充分な強度を有する。
また、商品の照明を演出的に行うことができるようにした従来の商品陳列棚と比較して、部品点数が少ないため、製造コスト上も有利である。
【００１１】
請求項２記載の発明によれば、ブラケットの上縁が、側面視において、棚板と同じ階段状に形成されているため、棚板をブラケットの上縁に簡単に支持させることができる。
【００１２】
請求項３記載の発明によれば、仕切板が、任意のスリットに着脱自在に装着しうるようになっているため、種類の異なる商品の陳列形態や、そのレイアウト変更に対して、簡単に仕切板の位置を変更して対応することができる。
【００１３】
請求項４記載の発明によれば、棚板における底板と背板のスリットを通して商品に光を照射することができるとともに、透光性材料からなる仕切板を介して、側方から商品に柔らかな光を照射することができるため、従来みられなかった演出的な照明を行うことができる。
【００１４】
請求項５記載の発明によれば、色彩の異なる複数の仕切板を用いることにより、たとえば、種類の異なる商品を陳列する区画毎に、仕切板の色彩を変えるなどして、商品の識別を容易にしたり、あるいは商品と仕切板の色彩を同一系統のものとするなどして、商品の陳列を効果的に演出することができる。
【発明を実施するための最良の形態】
【００１５】
図１は、本発明の商品陳列棚の上方斜視図、図２は、図１に示した商品陳列棚を一部破断して示す要部拡大分解斜視図、図３は、同じく、一部破断して示す要部拡大平面図、図４は、同じく、一部破断して示す要部拡大側面図である。
【００１６】
本発明の商品陳列棚は、図１に示すように、支柱(１)に取付けられたブラケット(２)により、棚板(３)を支持し、棚板(３)の後方に後面板(４)、左右に側面板(５)(５)を、それぞれ配設して構成されている。
【００１７】
図２に示すように、棚板(３)は、たとえば鉄やアルミニウムなどの金属板を底板(６)と背板(７)とが交互に連設されるように、上向き階段状に折り曲げて形成されている。底板(６)と背板(７)に対応する部分には、階段状に折り曲げる前に、予め多数のスリット(８)(９)が、左右方向に並ぶように穿設されている。
【００１８】
図示の棚板(３)は、３段の階段状に形成され、棚板(３)の前端縁(10)と上端縁(11)とは、強度保持と危険防止の観点から、折り返して縁部が形成されている。
【００１９】
ブラケット(２)における棚板(３)を支持する上縁(12)は、側面視において、棚板(３)と同じ階段状に形成されている。前記上縁(12)には部分的に左右方向の内側向きの支持片(13)が設けられている。また、ブラケットの後端縁(14)には上下方向に３個の下向きのフック(15)が設けられている。
【００２０】
棚板(３)における各段の底板(６)を、ブラケット(２)における各段の支持片(13)上に載置させた状態で、棚板(３)の下面において、両者を溶着することにより、棚板(３)はブラケット(２)上に一体化されている。ブラケット(２)の前端(2a)は、棚板(３)の前端縁(10)の折り返し縁によって覆われている。
【００２１】
棚板(３)と一体化されたブラケット(２)は、図３，図４に示すように、後端縁(14)のフック(15)を、支柱(１)の前面(1a)に上下方向に多数穿設された係合孔(16)に係合することにより、支柱(１)に取付けられている。
【００２２】
棚板(３)における各段は、スリット(８)(９)に係止した仕切板(17)により、所望の区画に区分されている。
【００２３】
仕切板(17)の下端縁(17a)および後端縁(17b)には、それぞれ係止片(18)(19)が設けられており、これらの係止片(18)(19)を、棚板(３)の各段における底板(６)と背板(７)の所望のスリット(８)(９)に係止させることにより、仕切板(17)が棚板(３)に着脱自在に装着されている。
【００２４】
図２〜図４に示すように、棚板(３)における背板(７)の後面側には照明装置(20)が取付けられている。
【００２５】
背板(７)の後面(7a)に、側面視において前方に開口するコ字状の取付部材(21)が溶着され、この取付部材(21)の後面に、蛍光管(22)を挟持して保持するための後方に開口する保持部材(23)が、ねじ(24)で取付けられている。螢光管(22)を後方より、前記保持部材(23)に挟持させて点灯させることにより、棚板(３)の各段を構成する底板(６)および背板(７)のスリット(８)(９)を通して、棚板(３)に陳列された商品に光を照射することができる。
【００２６】
特に、仕切板(17)を透光性材料で形成した場合、この仕切板(17)を介して、側方から商品に柔らかな光を照射することができるため、従来みられなかった演出的な照明を行うことができる。
【００２７】
また、色彩の異なる複数の仕切板(17)を用いて、たとえば、種類の異なる商品を陳列する区画毎に、仕切板の色彩を変えるなどして、商品の識別を容易にしたり、あるいは商品と仕切板の色彩を同一系統のものとするなどして、商品の陳列を効果的に演出することができる。
【００２８】
また、側面板(５)の一部をガラスや合成樹脂などの透光板(25)で形成することにより、側方からの商品や照明の演出効果の視認を容易にすることができる。
【００２９】
透光板(25)は、図３に示すように、側板本体(26)に設けられた嵌合溝(27)に嵌め込んで取付けられている。
【００３０】
側面板(５)は、図２に示すように、その内側面に取付けられたフック(28)を支柱(１)の左右方向の外側面に穿設された係止孔(29)に係止することにより、支柱(１)に取付けられている。後面板(４)は、支柱(１)に取付けられた取付金具（図示省略）を介して支柱(１)に取付けられ、支柱(１)の上端は、キャップ(30)により被覆されている。
【図面の簡単な説明】
【００３１】
【図１】本発明の商品陳列棚の上方斜視図である。
【図２】図１に示した商品陳列棚を一部破断して示す要部拡大分解斜視図である。
【図３】同じく、一部破断して示す要部拡大平面図である。
【図４】同じく、一部破断して示す要部拡大側面図である。
【符号の説明】
【００３２】
(１)支柱
(２)ブラケット
(３)棚板
(４)後面板
(５)側面板
(６)底板
(７)背板
(7a)後面
(８)(９)スリット
(10)前端縁
(11)上端縁
(12)上縁
(13)支持片
(14)後端縁
(15)フック
(16)係合孔
(17)仕切板
(17a)下端縁
(17b)後端縁
(18)(19)係止片
(20)照明装置
(21)取付部材
(22)蛍光管
(23)保持部材
(24)ねじ
(25)透光板
(26)側板本体
(27)嵌合溝
(28)フック
(29)係止孔
(30)キャップ
【図１】
2006288826.tif 000003
【図２】
2006288826.tif 000004
【図３】
2006288826.tif 000005
【図４】
2006288826.tif 000006